【手続補正書】
【提出日】平成17年11月25日(2005.11.25)
【手続補正１】
【補正対象書類名】明細書
【補正対象項目名】特許請求の範囲
【補正方法】変更
【補正の内容】
【特許請求の範囲】
【請求項１】  画像入力装置及び画像出力装置と接続される情報処理装置であって、
前記画像入力装置による画像の入力を制御する入力制御手段と、
前記画像出力装置による画像の出力を制御する出力制御手段と、
複数の画像処理モードであって、各々の画像処理モードに対して複数の入力設定情報のいずれか１つと複数の出力設定情報のいずれか１つが対応付けられた複数の画像処理モードを記憶する記憶手段と、
操作者により選択された前記画像処理モードに対応する前記入力設定情報及び前記出力設定情報を前記記憶手段より取得する取得手段とを有し、
前記入力制御手段は、前記取得手段により取得した前記入力設定情報に基づき前記画像入力装置による画像の入力を制御し、前記出力制御手段は、前記取得手段により取得した前記出力設定情報に基づき前記画像出力装置による画像の出力を制御することを特徴とする情報処理装置。
【請求項２】  更に、前記複数の画像処理モードを表示する表示手段を有することを特徴とする請求項１に記載の情報処理装置。
【請求項３】  前記画像入力装置は原稿画像を読み取る画像読取装置であり、前記入力制御手段は前記画像読取装置による画像の読み取りを制御する画像読取制御手段であることを特徴とする請求項１又は２に記載の情報処理装置。
【請求項４】  前記出力装置は画像を印刷する印刷装置であり、前記出力制御手段は前記印刷装置による画像の印刷を制御する印刷制御手段であることを特徴とする請求項３に記載の情報処理装置。
【請求項５】  前記複数の画像処理モードは前記画像読取装置及び前記印刷装置を用いた複写動作に関する複数の複写モードであり、前記入力設定情報及び前記出力設定情報は前記複数の複写モードのそれぞれに対応する読取設定情報及び印刷設定情報であることを特徴とする請求項１乃至４のいずれかに記載の情報処理装置。
【請求項６】  前記読取設定情報は、読取方式及び読取解像度の少なくともいずれかに関する設定情報を含むことを特徴とする請求項５に記載の情報処理装置。
【請求項７】  前記印刷設定情報は、印刷方式、印刷解像度、印刷すべきメディアの種類、及び印刷の品位の少なくともいずれかに関する設定情報を含むことを特徴とする請求項５又は６に記載の情報処理装置。
【請求項８】  前記画像入力装置を制御するための前記複数の入力設定情報と、前記画像出力装置を制御するための前記複数の出力設定情報から、前記複数の画像処理モードを生成する生成手段を有することを特徴とする請求項１乃至７のいずれかに記載の情報処理装置。
【請求項９】  前記記憶手段は、操作者により選択された前記画像読取装置が読み取る読み取りメディアのサイズ情報及び前記印刷装置が印刷する印刷メディアのサイズ情報を記憶しており、
前記記憶手段により記憶された前記読み取りメディアのサイズ情報及び前記印刷メディアのサイズ情報に基づき複写倍率を決定する決定手段と、
前記決定手段が決定した前記複写倍率に基づき前記画像読取装置により読み取られた画像を変倍処理する変倍処理手段とを更に有することを特徴とする請求項４に記載の情報処理装置。
【請求項１０】  画像入力装置及び画像出力装置と接続される情報処理装置における画像処理方法であって、
記憶手段に記憶されている複数の画像処理モードであって、各々の画像処理モードに対して複数の入力設定情報のいずれか１つと複数の出力設定情報のいずれか１つが対応付けられた複数の画像処理モードから、操作者により選択された前記画像処理モードに対応する前記入力設定情報及び前記出力設定情報を取得する取得工程と、
前記取得工程により取得した入力設定情報に基づき前記画像入力装置による画像の入力を制御する入力制御工程と、
前記取得工程により取得した出力設定情報に基づき前記画像出力装置による画像の出力を制御する出力制御工程とを有することを特徴とする画像処理方法。
【請求項１１】  更に、前記複数の画像処理モードを表示手段へ表示する表示工程を有することを特徴とする請求項１０に記載の画像処理方法。
【請求項１２】  前記画像入力装置は原稿画像を読み取る画像読取装置であり、前記入力制御工程は前記画像読取装置による画像の読み取りを制御する画像読取制御工程であることを特徴とする請求項１０又は１１に記載の画像処理方法。
【請求項１３】  前記画像出力装置は画像を印刷する印刷装置であり、前記出力制御工程は前記印刷装置による画像の印刷を制御する印刷制御工程であることを特徴とする請求項１２に記載の画像処理方法。
【請求項１４】  前記複数の画像処理モードは前記画像読取装置及び前記印刷装置を用いた複写動作に関する複数の複写モードであり、前記入力設定情報及び前記出力設定情報は、前記複数の複写モードのそれぞれに対応する読取設定情報及び印刷設定情報であることを特徴とする請求項１０乃至１３のいずれかに記載の画像処理方法。
【請求項１５】  前記読取設定情報は、読取方式及び読取解像度の少なくともいずれかに関する設定情報を含むことを特徴とする請求項１４に記載の画像処理方法。
【請求項１６】  前記印刷設定情報は、印刷方式、印刷解像度、印刷すべきメディアの種類、及び印刷の品位の少なくともいずれかに関する設定情報を含むことを特徴とする請求項１４に記載の画像処理方法。
【請求項１７】コンピュータに、
記憶手段に記憶されている複数の画像処理モードであって、各々の画像処理モードに対して複数の入力設定情報のいずれか１つと複数の出力設定情報のいずれか１つが対応付けられた複数の画像処理モードから、操作者により選択された前記画像処理モードに対応する前記入力設定情報及び前記出力設定情報を取得する取得工程と、
前記取得工程により取得した入力設定情報に基づき前記画像入力装置による画像の入力を制御する入力制御工程と、
前記取得工程により取得した出力設定情報に基づき前記画像出力装置による画像の出力を制御する出力制御工程とを実行させるためのプログラムを記録したコンピュータ読み取り可能な記憶媒体。
【請求項１８】  コンピュータに、
記憶手段に記憶されている複数の画像処理モードであって、各々の画像処理モードに対して複数の入力設定情報のいずれか１つと複数の出力設定情報のいずれか１つが対応付けられた複数の画像処理モードから、操作者により選択された前記画像処理モードに対応する前記入力設定情報及び前記出力設定情報を取得する取得工程と、
前記取得工程により取得した入力設定情報に基づき前記画像入力装置による画像の入力を制御する入力制御工程と、
前記取得工程により取得した出力設定情報に基づき前記画像出力装置による画像の出力を制御する出力制御工程とを実行させるためのプログラム。
【手続補正２】
【補正対象書類名】明細書
【補正対象項目名】０００１
【補正方法】変更
【補正の内容】
【０００１】
【発明の属する技術分野】
本発明は、画像入力装置及び画像出力装置と接続される情報処理装置及び画像処理方法に関する。
【手続補正３】
【補正対象書類名】明細書
【補正対象項目名】００１６
【補正方法】変更
【補正の内容】
【００１６】
【課題を解決するための手段】
上記目的を達成するために、本発明は、画像入力装置及び画像出力装置と接続される情報処理装置であって、前記画像入力装置による画像の入力を制御する入力制御手段と、前記画像出力装置による画像の出力を制御する出力制御手段と、複数の画像処理モードであって、各々の画像処理モードに対して複数の入力設定情報のいずれか１つと複数の出力設定情報のいずれか１つが対応付けられた複数の画像処理モードを記憶する記憶手段と、操作者により選択された前記画像処理モードに対応する前記入力設定情報及び前記出力設定情報を前記記憶手段より取得する取得手段とを有し、前記入力制御手段は、前記取得手段により取得した前記入力設定情報に基づき前記画像入力装置による画像の入力を制御し、前記出力制御手段は、前記取得手段により取得した前記出力設定情報に基づき前記画像出力装置による画像の出力を制御することを特徴とする。
また、上記目的を達成するために、本発明は、画像入力装置及び画像出力装置と接続される情報処理装置における画像処理方法であって、記憶手段に記憶されている複数の画像処理モードであって、各々の画像処理モードに対して複数の入力設定情報のいずれか１つと複数の出力設定情報のいずれか１つが対応付けられた複数の画像処理モードから、操作者により選択された前記画像処理モードに対応する前記入力設定情報及び前記出力設定情報を取得する取得工程と、前記取得工程により取得した入力設定情報に基づき前記画像入力装置による画像の入力を制御する入力制御工程と、前記取得工程により取得した出力設定情報に基づき前記画像出力装置による画像の出力を制御する出力制御工程とを有することを特徴とする。
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】０１１８
【補正方法】変更
【補正の内容】
【０１１８】
【発明の効果】
以上説明したように、本発明によれば、記憶手段に記憶されている複数の画像処理モードであって、各々の画像処理モードに対して複数の入力設定情報のいずれか１つと複数の出力設定情報のいずれか１つが対応付けられた複数の画像処理モードから、操作者により選択された画像処理モードに対応する入力設定情報及び出力設定情報を取得し、取得した入力設定情報に基づき画像入力装置による画像の入力を制御し、取得した出力設定情報に基づき画像出力装置による画像の出力を制御することにより、容易な操作で高品位な画像処理結果を得ることができる。